【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
移動通信システムにおいて移動局から基地局にチャネル状態情報（ＣＳＩ）を報告する方法であって、前記移動局によって行われるステップは、
複数のダウンリンクコンポーネントキャリアの少なくとも１つのダウンリンクコンポーネントキャリアに対するチャネル状態情報の報告をトリガするトリガメッセージを前記基地局から受信し、前記トリガメッセージはサブフレームｎＴｒｉｇｇｅｒで受信される、ステップと、
前記ｎＴｒｉｇｇｅｒより後のサブフレームｎＲｅｐｏｒｔで、前記複数のダウンリンクコンポーネントキャリアの前記少なくとも１つのダウンリンクコンポーネントキャリア上に存在する参照信号（ＲＳ）に基づいて前記複数のダウンリンクコンポーネントキャリアの前記少なくとも１つのダウンリンクコンポーネントキャリアに対する前記トリガされたチャネル状態情報を前記基地局に報告するステップと、を含み、
前記チャネル状態情報が報告される際に基づく前記参照信号（ＲＳ）が前記複数のダウンリンクコンポーネントキャリアの前記少なくとも１つのダウンリンクコンポーネントキャリア上のサブフレームｎＲＳに存在し、ここでｎＴｒｉｇｇｅｒ≦ｎＲＳ＜ｎＲｅｐｏｒｔであり、
前記トリガされたチャネル状態情報（ＣＳＩ）は前記移動局によって非周期的に報告され、
前記トリガされたチャネル状態情報（ＣＳＩ）は、
単一のプリコーディング行列が、サブバンドの集合Ｓでのダウンリンク伝送を前提とするコードブック部分集合から選択され、
すべてのサブバンドに前記単一のプリコーディング行列が使用されること、および、前記参照信号が前記サブバンドの集合Ｓにおいて伝送されることを前提として計算されるコードワード当たりの広帯域チャネル品質インジケータ（ＣＱＩ）と、
前記選択される単一のプリコーディング行列のインジケータ（ＰＭＩ）、または前記選択された単一のプリコーディング行列に対応する第１および第２のプリコーディング行列インジケータと、を含み、
前記報告されるプリコーディング行列インジケータ（ＰＭＩ）、および前記報告されるチャネル品質インジケータ（ＣＱＩ）は、報告されたランクインジケータ（ＲＩ）を条件として計算されるか、またはランク＝１を条件として計算される、
方法。
【請求項２】
前記トリガメッセージは、アップリンクリソース割当てを通知するダウンリンク制御情報（ＤＣＩ）フォーマットの形態で受信される、
請求項１に記載の方法。
【請求項３】
前記非周期的チャネル状態情報報告は、少なくとも１つのアップリンクコンポーネントキャリア上の物理アップリンク共有チャネル（ＰＵＳＣＨ）で報告される、
請求項１または２に記載の方法。
【請求項４】
前記トリガメッセージは、前記報告がトリガされた対象となる前記複数のダウンリンクコンポーネントキャリアの前記少なくとも１つのダウンリンクコンポーネントキャリアと異なる、前記複数のダウンリンクコンポーネントキャリアの別の１つダウンリンクコンポーネントキャリア上の前記サブフレームｎＴｒｉｇｇｅｒで受信され、
前記複数のダウンリンクコンポーネントキャリアの前記少なくとも１つのダウンリンクコンポーネントキャリアはアンライセンスコンポーネントキャリアであり、前記複数のダウンリンクコンポーネントキャリアの前記別の１つのダウンリンクコンポーネントキャリアはライセンスコンポーネントキャリアである、
請求項１〜３のいずれか一項に記載の方法。
【請求項５】
前記トリガメッセージは、前記チャネル状態情報が報告される際に基づく前記参照信号が、前記複数のダウンリンクコンポーネントキャリアの前記少なくとも１つのダウンリンクコンポーネントキャリアのダウンリンクシステム帯域幅に渡るサブバンドの集合Ｓに存在することを示す、
請求項１〜４のいずれか一項に記載の方法。
【請求項６】
前記トリガされたチャネル状態情報を報告するステップは、
前記複数のダウンリンクコンポーネントキャリアの前記少なくとも１つのダウンリンクコンポーネントキャリア上の前記サブバンドの集合Ｓにおける連続又は分散した物理リソースブロックの参照信号を評価するステップと、
前記複数のダウンリンクコンポーネントキャリアの前記少なくとも１つのダウンリンクコンポーネントキャリアに対する前記評価された参照信号に基づいて、アップリンクコンポーネントキャリアで前記トリガされたチャネル状態情報を報告するステップと、をさらに含む、
請求項５に記載の方法。
【請求項７】
前記トリガされたチャネル状態情報は、前記複数のダウンリンクコンポーネントキャリアの前記少なくとも１つのダウンリンクコンポーネントキャリアのダウンリンクシステム帯域幅に渡るサブバンドの集合Ｓに対する１つまたは２つのチャネル品質インジケータ（ＣＱＩ）により報告される、
請求項１〜６のいずれか一項に記載の方法。
【請求項８】
前記トリガされたチャネル状態情報は、
前記移動局がランクインジケータ（ＲＩ）フィードバックを報告するように設定されていない場合、または、前記報告されるべきＲＩ＝１の場合、コードワードに対応する単一のチャネル品質インジケータ（ＣＱＩ値）により報告され、
前記報告されるべきＲＩ＞１の場合、異なるコードワードに対応する２つのチャネル品質インジケータにより報告される、
請求項１〜７のいずれか一項に記載の方法。
【請求項９】
物理ダウンリンク共有チャネル（ＰＤＳＣＨ）は、前記参照信号が存在する同じサブフレームｎＲＳを使用する場合、前記移動局はパンクチャリングされたＰＤＳＣＨ伝送を前提とする、
請求項１〜８のいずれか一項に記載の方法。
【請求項１０】
前記参照信号は、
セル固有参照信号（ＣＲＳ）、および、チャネル状態情報参照信号（ＣＳＩ−ＲＳ）の少なくとも１つである、
請求項１〜９のいずれか一項に記載の方法。
【請求項１１】
前記移動局には
前記移動局がサブフレームｎＮＺＰ−ＣＳＩ−ＲＳ＝ｎＲＳで非ゼロ伝送電力を前提とする非ゼロ電力ＣＳＩ−ＲＳ設定、および、
前記移動局がサブフレームｎＺＰ−ＣＳＩ−ＲＳ≠ｎＲＳでゼロ伝送電力を前提とするゼロ電力ＣＳＩ−ＲＳ設定、
の少なくとも１つを含む少なくとも１つのチャネル状態情報（ＣＳＩ）参照信号が設定され、
前記サブフレームｎＺＰ−ＣＳＩ−ＲＳは前記サブフレームｎＮＺＰ−ＣＳＩ−ＲＳより前であり、ここでｎＴｒｉｇｇｅｒ≦ｎＺＰ−ＣＳＩ−ＲＳ＜ｎＮＺＰ−ＣＳＩ−ＲＳ＜ｎＲｅｐｏｒｔである、
請求項１０に記載の方法。
【請求項１２】
前記移動局には、少なくとも１つのチャネル状態情報（ＣＳＩ）参照信号が設定され、
前記ＣＳＩ参照信号設定は、セル固有参照信号（ＣＲＳ）伝送に対して規定されるリソースエレメントに対応するサブフレームｎＲＳに少なくとも１つのリソースエレメント（ＲＥ）を示すゼロ伝送電力を前記移動局が前提とするゼロ電力ＣＳＩ−ＲＳ設定を含み、かつ／または、
前記ＣＳＩ参照信号設定は、前記基地局から受信された前記トリガメッセージで通知され、前記トリガメッセージは、アップリンクリソース割当てを通知するダウンリンク制御情報ＤＣＩフォーマットの形態で受信される、
請求項１０に記載の方法。
【請求項１３】
移動通信システムにおいて前記基地局にチャネル状態情報（ＣＳＩ）を報告する移動局であって、
複数のダウンリンクコンポーネントキャリアの少なくとも１つのダウンリンクコンポーネントキャリアに対するチャネル状態情報の報告をトリガするトリガメッセージを前記基地局から受信し、前記トリガメッセージはサブフレームｎＴｒｉｇｇｅｒで受信される、受信部と、
前記ｎＴｒｉｇｇｅｒより後のサブフレームｎＲｅｐｏｒｔで、前記複数のダウンリンクコンポーネントキャリアの前記少なくとも１つのダウンリンクコンポーネントキャリア上に存在する参照信号（ＲＳ）に基づいて前記複数のダウンリンクコンポーネントキャリアの前記少なくとも１つのダウンリンクコンポーネントキャリアに対する前記トリガされたチャネル状態情報を前記基地局に報告する送信部と、を備え、
前記チャネル状態情報が報告される際に基づく前記参照信号（ＲＳ）が前記複数のダウンリンクコンポーネントキャリアの前記少なくとも１つのダウンリンクコンポーネントキャリア上のサブフレームｎＲＳに存在し、ここでｎＴｒｉｇｇｅｒ≦ｎＲＳ＜ｎＲｅｐｏｒｔであり、
前記トリガされたチャネル状態情報（ＣＳＩ）は前記移動局によって非周期的に報告され、
前記トリガされたチャネル状態情報（ＣＳＩ）は、
単一のプリコーディング行列が、サブバンドの集合Ｓでのダウンリンク伝送を前提とするコードブック部分集合から選択され、
すべてのサブバンドに前記単一のプリコーディング行列が使用されること、および、前記参照信号が前記サブバンドの集合Ｓにおいて伝送されることを前提として計算されるコードワード当たりの広帯域チャネル品質インジケータ（ＣＱＩ）と、
前記選択される単一のプリコーディング行列のインジケータ（ＰＭＩ）、または前記選択された単一のプリコーディング行列に対応する第１および第２のプリコーディング行列インジケータと、を含み、
前記報告されるプリコーディング行列インジケータ（ＰＭＩ）、および前記報告されるチャネル品質インジケータ（ＣＱＩ）は、報告されたランクインジケータ（ＲＩ）を条件として計算されるか、またはランク＝１を条件として計算される、
移動局。
【請求項１４】
前記トリガメッセージは、アップリンクリソース割当てを通知するダウンリンク制御情報（ＤＣＩ）フォーマットの形態で受信される、
請求項１３に記載の移動局。
【請求項１５】
前記非周期的チャネル状態情報報告は、少なくとも１つのアップリンクコンポーネントキャリア上の物理アップリンク共有チャネル（ＰＵＳＣＨ）で報告される、
請求項１３または１４に記載の移動局。
【請求項１６】
前記トリガメッセージは、前記報告がトリガされた対象となる前記複数のダウンリンクコンポーネントキャリアの前記少なくとも１つのダウンリンクコンポーネントキャリアと異なる、前記複数のダウンリンクコンポーネントキャリアの別の１つダウンリンクコンポーネントキャリア上の前記サブフレームｎＴｒｉｇｇｅｒで受信され、
前記複数のダウンリンクコンポーネントキャリアの前記少なくとも１つのダウンリンクコンポーネントキャリアはアンライセンスコンポーネントキャリアであり、前記複数のダウンリンクコンポーネントキャリアの前記別の１つのダウンリンクコンポーネントキャリアはライセンスコンポーネントキャリアである、
請求項１３〜１５のいずれか一項に記載の移動局。
【請求項１７】
前記トリガメッセージは、前記チャネル状態情報が報告される際に基づく前記参照信号が、前記複数のダウンリンクコンポーネントキャリアの前記少なくとも１つのダウンリンクコンポーネントキャリアのダウンリンクシステム帯域幅に渡るサブバンドの集合Ｓに存在することを示す、
請求項１３〜１６のいずれか一項に記載の移動局。
【請求項１８】
前記送信部は、
前記複数のダウンリンクコンポーネントキャリアの前記少なくとも１つのダウンリンクコンポーネントキャリア上の前記サブバンドの集合Ｓにおける連続又は分散した物理リソースブロックの参照信号を評価し、
前記複数のダウンリンクコンポーネントキャリアの前記少なくとも１つのダウンリンクコンポーネントキャリアに対する前記評価された参照信号に基づいて、アップリンクコンポーネントキャリアで前記トリガされたチャネル状態情報を報告する、
請求項１７に記載の移動局。
【請求項１９】
前記トリガされたチャネル状態情報は、前記複数のダウンリンクコンポーネントキャリアの前記少なくとも１つのダウンリンクコンポーネントキャリアのダウンリンクシステム帯域幅に渡るサブバンドの集合Ｓに対する１つまたは２つのチャネル品質インジケータ（ＣＱＩ）により報告される、
請求項１３〜１８のいずれか一項に記載の移動局。
【請求項２０】
前記トリガされたチャネル状態情報は、
前記移動局がランクインジケータ（ＲＩ）フィードバックを報告するように設定されていない場合、または、前記報告されるべきＲＩ＝１の場合、コードワードに対応する単一のチャネル品質インジケータ（ＣＱＩ値）により報告され、
前記報告されるべきＲＩ＞１の場合、異なるコードワードに対応する２つのチャネル品質インジケータにより報告される、
請求項１３〜１９のいずれか一項に記載の移動局。
【請求項２１】
物理ダウンリンク共有チャネル（ＰＤＳＣＨ）は、前記参照信号が存在する同じサブフレームｎＲＳを使用する場合、前記移動局はパンクチャリングされたＰＤＳＣＨ伝送を前提とする、
請求項１３〜２０のいずれか一項に記載の移動局。
【請求項２２】
前記参照信号は、
セル固有参照信号（ＣＲＳ）、および、チャネル状態情報参照信号（ＣＳＩ−ＲＳ）の少なくとも１つである、
請求項１３〜２１のいずれか一項に記載の移動局。